(57)【要約】      （修正有）【課題】口ゴム部のゴムが緩んでも脱げにくくした靴下を提供する。【解決手段】履き口に口ゴム部２を有する靴下１の足首周りに第２のゴム部３を設け、第２のゴム部は生地中にゴム糸を織り込んで形成する。靴下が古くなって口ゴム部のゴムが緩くなっても、第２のゴム部３が足首の周りを締め付けているので、口ゴム部が足首まで下がったところで留まり、靴下が足先から脱げてしまうことはない。【選択図】図１
0003196206.tif 000002
【実用新案登録請求の範囲】
【請求項１】
履き口に口ゴム部を有する靴下において、
靴下の足首周りに第２のゴム部を設けたこと、
を特徴とする靴下。
【請求項２】
履き口に口ゴム部を有し、指の分かれた靴下において、
靴下の足首裏側と甲前側を通る楕円に沿って第２のゴム部を設けたこと、
を特徴とする靴下。
【請求項３】
口ゴム部と第２のゴム部の内、少なくとも第２のゴム部は、生地中にゴム糸を織り込んで形成したこと、
を特徴とする請求項１または２記載の靴下。
【請求項４】
口ゴム部と第２のゴム部の内、少なくとも第２のゴム部は、生地に設けたゴム紐通し部と、このゴム紐通し部に挿通したゴム紐からなること、
を特徴とする請求項１または２記載の靴下。
【考案の詳細な説明】
【技術分野】
【０００１】
本考案は靴下に係り、とくに脱げにくくした靴下に関する。
【背景技術】
【０００２】
靴下の履き口は靴下がずり下がらないように口ゴム部になっているが、靴下が古くなるとゴムが緩んでしまい、履いている間にすぐ脱げてしまう問題があった。
【先行技術文献】
【特許文献】
【０００３】
【特許文献１】特開２０１０−１００９７９号公報
【考案の概要】
【考案が解決しようとする課題】
【０００４】
本考案は上記した従来技術の問題に鑑みなされたもので、脱げにくくした靴下を提供することを、その目的とする。
【課題を解決するための手段】
【０００５】
請求項１記載の考案では、履き口に口ゴム部を有する靴下の足首周りに第２のゴム部を設けたこと、を特徴としている。
請求項２記載の考案では、履き口に口ゴム部を有し、指の分かれた靴下の足首裏側と甲前側を通る楕円に沿って第２のゴム部を設けたこと、を特徴としている。
請求項３記載の考案では、口ゴム部と第２のゴム部の内、少なくとも第２のゴム部は、生地中にゴム糸を織り込んで形成したこと、を特徴としている。
請求項４記載の考案では。口ゴム部と第２のゴム部の内、少なくとも第２のゴム部は、生地に設けたゴム紐通し部と、このゴム紐通し部に挿通したゴム紐からなること、を特徴としている。
【考案の効果】
【０００６】
本考案の１つによれば、靴下が古くなって口ゴム部のゴムが緩くなっても、足首の周りの第２のゴム部が足首の周りを締め付けるので、靴下が踵から脱げにくくなる。
本考案の他の１つによれば、靴下が古くなって口ゴム部のゴムが緩くなっても、足首裏側と甲前側を通る楕円に沿った第２のゴム部が足首の周りを締め付けるので、靴下が踵から脱げにくくなる。また、指の分かれた靴下であっても、第２のゴム部が靴下の指先部分を引き上げるので、靴下が足指にフィットし、履き心地が良くなる。
【図面の簡単な説明】
【０００７】
【図１】本考案の第１実施例に係る靴下の側面図である（実施例１）。
【図２】本考案の第２実施例に係る靴下の側面図である（実施例２）。
【図３】第２実施例の変形例に係る靴下の側面図である。
【図４】本考案の第３実施例に係る靴下の側面図である（実施例３）。
【図５】本考案の第４実施例に係る靴下の側面図である（実施例４）。
【図６】第４実施例の変形例に係る靴下の側面図である。
【考案を実施するための最良の形態】
【０００８】
以下、本考案の最良の形態を実施例に基づき説明する。
【実施例１】
【０００９】
図１を参照して本考案の第１実施例を説明する。図１は本考案に係る靴下の側面図である。
図１において、靴下１は、履き口に口ゴム部２、足首周りに第２のゴム部３が設けられており、いずれも、靴下１の生地中にゴム糸を織り込むことにより形成されている。
靴下１を履くときは、口ゴム部２と第２のゴム部３を手で拡げて履き口から足先を挿入していけば良く、反対に靴下１を脱ぐときは口ゴム部２と第２のゴム部３を手で拡げて履き口から足を抜けばよい。
靴下１を履いたとき、口ゴム部２はふくらはぎで拡がった状態となり、第２のゴム部３は足首の太さまですぼまった状態となるため、靴下１が古くなると先に口ゴム部２の方のゴム糸が緩くなって締まりが悪くなる。
けれども、この実施例によれば、靴下１が古くなって口ゴム部２のゴムが緩くなっても、足首の周りの第２のゴム部３が足首の周りを締め付けており、口ゴム部２が足首まで下がったところで留まる。従って、靴下１が踵や足先から脱げてしまうことはない。
【実施例２】
【００１０】
次に、図２を参照して本考案の第２実施例を説明する。図２は本考案に係る靴下の側面図である。
図２において、靴下１Ａは、履き口に口ゴム部２Ａ、足首周りに第２のゴム部３Ａが設けられている。口ゴム部２Ａは生地の履き口の周方向に沿って複数個所に装着したゴム紐通し部４と、このゴム紐通し部４に挿通したゴム紐５からなる。また、第２のゴム部３Ａは生地の足首周りに沿って複数個所に装着したゴム紐通し部６と、このゴム紐通し部６に挿通したゴム紐７からなる。
靴下１Ａを履くときは、口ゴム部２Ａと第２のゴム部３Ａを手で拡げて履き口から足先を挿入していけば良く、反対に靴下１Ａを脱ぐときは口ゴム部２Ａと第２のゴム部３Ａを手で拡げて履き口から足を抜けばよい。
靴下１Ａを履いたとき、口ゴム部２Ａはふくらはぎで拡がった状態となり、第のゴム部３Ａは足首の太さまですぼまった状態となるため、靴下１Ａが古くなると先に口ゴム部２Ａの方のゴム紐５が緩くなって締まりが悪くなる。
【００１１】
けれども、この第２実施例によれば、靴下１Ａが古くなって口ゴム部２Ａのゴム紐５が緩くなっても、足首の周りの第２のゴム部３Ａが足首の周りを締め付けており、口ゴム部２Ａが足首まで下がったところで留まる。従って、靴下１Ａが踵や足先から脱げてしまうことはない。また、若し靴下１Ａが古くなりすぎてゴム紐５が緩くなったとき、取り替え可能である。同様に、ゴム紐７も取替え可能である。
なお、第２実施例の口ゴム部２Ａを第１実施例の口ゴム部２のように形成しても良い。
【００１２】
図３は図２の変形例であり、図３の靴下１Ｂでは、口ゴム部２Ｂのゴム紐通し部４Ｂが生地に対し履き口の周方向に沿って袋状に形成してあり、開口８からゴム紐５を引き出して交換可能にしてある。同様に、第２のゴム部３Ｂのゴム紐通し部６Ｂは生地に対し足首周りに沿って袋状に形成してあり、開口９からゴム紐７を引き出して交換可能にしてある。
【実施例３】
【００１３】
図４を参照して本考案の第３実施例を説明する。図４は本考案に係る靴下の側面図である。
図４において、靴下１Ｃは指の分かれたタイプであり、履き口に口ゴム部２、足首裏側と甲前側を通る楕円に沿って第２のゴム部３Ｃが設けられており、いずれも、靴下１Ｃの生地中にゴム糸を織り込むことにより形成されている。
靴下１Ｃを履くときは、口ゴム部２と第２のゴム部３Ｃを手で拡げて履き口から足先を挿入していけば良く、反対に靴下１Ｃを脱ぐときは口ゴム部２と第２のゴム部３Ｃを手で拡げて履き口から足を抜けばよい。
靴下１Ｃを履いたとき、口ゴム部２はふくらはぎで拡がった状態となり、靴下１Ｃが古くなると口ゴム部２のゴム糸が緩くなって締まりが悪くなる。
けれども、この実施例によれば、靴下１Ｃが古くなって口ゴム部２のゴムが緩くなっても、第２のゴム部３Ｃが足首裏側と甲前側を通る楕円に沿って締め付けており、口ゴム部２が足首まで下がったところで留まる。従って、靴下１Ｃが踵や足先から脱げてしまうことはない。
また、靴下１Ｃを履いたとき、第２のゴム部３Ｃは指先を引き上げる方向に引っ張るので（図４の矢印参照）、靴下１Ｃの指先が足の指にフィットするとともに、足の指が靴下１Ｃの指先から脱げにくくなる。
【実施例４】
【００１４】
次に、図５を参照して本考案の第４実施例を説明する。図５は本考案に係る靴下の側面図である。
図５において、靴下１Ｄは指が分かれたタイプであり、履き口に口ゴム部２Ｄ、足首裏側と甲前側を通る楕円に沿って第２のゴム部３Ｄが設けられている。口ゴム部２Ｄは生地の履き口の周方向に沿って複数個所に装着したゴム紐通し部４と、このゴム紐通し部４に挿通したゴム紐５からなる。また、第２のゴム部３Ｄは生地の足首裏側と甲前側を通る楕円に沿って複数個所に装着したゴム紐通し部６Ｄと、このゴム紐通し部６Ｄに挿通したゴム紐７Ｄからなる。
靴下１Ｄを履くときは、口ゴム部２Ｄと第２のゴム部３Ｄを手で拡げて履き口から足先を挿入していけば良く、反対に靴下１Ｄを脱ぐときは口ゴム部２Ｄと第２のゴム部３Ｄを手で拡げて履き口から足を抜けばよい。
靴下１Ｄを履いたとき、口ゴム部２Ｄはふくらはぎで拡がった状態となり、靴下１Ｄが古くなると口ゴム部２Ｄのゴム糸が緩くなって締まりが悪くなる。
けれども、この実施例によれば、靴下１Ｄが古くなって口ゴム部２Ｄのゴムが緩くなっても、第２のゴム部３Ｄが足首裏側と甲前側を通る楕円に沿って締め付けており、口ゴム部２Ｄが足首まで下がったところで留まる。従って、靴下１Ｄが踵や足先から脱げてしまうことはない。
また、靴下１Ｄを履いたとき、第２のゴム部３Ｄは指先を引き上げる方向に引っ張るので（図５の矢印参照）、靴下１Ｄの指先が足の指にフィットするとともに、足の指が靴下１Ｄの指先から脱げにくくなる。
また、若し靴下１Ｄが古くなりすぎてゴム紐５が緩くなったとき、取り替え可能である。同様に、ゴム紐７Ｄも取替え可能である。
なお、第４実施例の口ゴム部２Ｄを第３実施例の口ゴム部２のように形成しても良い。
【００１５】
図６は図５の変形例であり、図６の靴下１Ｅでは、口ゴム部２Ｅのゴム紐通し部４Ｅは生地に対し履き口の周方向に沿って袋状に形成してあり、開口８からゴム紐５を引き出して交換可能にしてあり、同様に、第２のゴム部３Ｅのゴム紐通し部６Ｅは生地に対し足首裏側と甲前側を通る楕円に沿って袋状に形成してあり、開口９Ｅからゴム紐７Ｄを引き出して交換可能にしてある。
【産業上の利用可能性】
【００１６】
本考案は、運動靴、革靴、長靴、作業靴などの下に履く靴下に適用可能である。
【符号の説明】
【００１７】
１、１Ａ、１Ｂ、１Ｃ、１Ｄ、１Ｅ  靴下
２、２Ａ、２Ｂ、２Ｄ、２Ｅ  口ゴム部
３、３Ａ、３Ｂ、３Ｃ、３Ｄ、３Ｅ  第２のゴム部
４、４Ｂ、４Ｅ、６、６Ｂ、６Ｄ、６Ｅ  ゴム紐通し部
５、７、７Ｄ  ゴム紐
【図１】
0003196206.tif 000003
【図２】
0003196206.tif 000004
【図３】
0003196206.tif 000005
【図４】
0003196206.tif 000006
【図５】
0003196206.tif 000007
【図６】
0003196206.tif 000008